(57)【要約】【課題】結合部分が破壊された場合、目視確認ができるようにする封緘具を提供することを目的とする。また、他の目的として、結束現場で記名又は押印しても、容易には消えない封緘具を提供する。【解決手段】頭部１からバンド部３を延設し頭部１に挿通孔２を設ける一方、バンド部３に止め穴５を設け、更にこの止め穴５と頭部１の間、または、バンド部３の反対側の頭部１近傍にロック部４を配備する。ロック部４は、バンド部３を挿通孔２に通した後に、このバンド部３の止め穴５に入る大きさの雄部４１と、この雄部４１に、容易に離脱しないように嵌着する雌部４２とで形成する。頭部１とバンド部３を、合成樹脂を主体とし微細なボイドを有する部材で形成する一方、ロック部４を合成樹脂で形成する。【選択図】図１
2004099164.tif 000002
【特許請求の範囲】
【請求項１】
挿通孔を有する頭部と、この頭部から延設したバンド部と、このバンド部を前記挿通孔に通した後、このバンド部を止めるロック部とを有する封緘具であって、前記バンド部に止め穴を設けるとともに、前記ロック部を頭部近傍またはバンド部に配備し、このロック部を、前記止め穴に入る大きさの雄部と、この雄部に、容易に離脱しないように嵌着する雌部とで形成した封緘具。
【請求項２】
ロック部を、頭部の挿通孔とバンド部の止め穴の間に配備するとともに、バンド部に止め穴を複数個形成した請求項１記載の封緘具。
【請求項３】
ロック部を、バンド部と反対側の頭部近傍に配備した請求項１記載の封緘具。
【請求項４】
頭部のバンド部と反対方向の一部に、表示部を設けた請求項１〜３記載の封緘具。
【請求項５】
バンド部の一部に表示部を設けた請求項１〜３記載の封緘具。
【請求項６】
頭部とバンド部を、合成樹脂を主体とし微細なボイドを有する部材で形成する一方、ロック部を合成樹脂で形成した、請求項１〜５記載の封緘具。
【請求項７】
頭部、バンド部及びロック部を合成樹脂で一体的に形成し、少なくとも表示部表面に微細なボイドを設けた、請求項４，５記載の封緘具。
【請求項８】
ロック部の雄部を、根本側を小形部に先端側を大形部に形成して、小形部と大形部の境に顎を設けるとともに、雌部を、弾性力を付与したコレット状の複数の爪片に分割して、この爪片の先端を前記雄部の顎に離脱不能に係止させるようにし、さらに、各爪片の根本付近を、前記爪片と前記顎との係止力よりも小さな外力で破壊する断面積に形成した、請求項１〜７記載の封緘具。
【発明の詳細な説明】
【０００１】
【発明の属する技術分野】本発明は、主にセキュリティを要求される、各種袋や各種箱等を封緘する際に使用する封緘具に関する。
【０００２】
【従来の技術】セキュリティを要求される袋や箱、具体的には、例えば、現金輸送用や郵便用の袋や箱は、最近、合成樹脂製の封緘具が多く使用されるようになってきた。
その理由は、袋の口や、箱の本体と蓋を簡単に結束でき、容易に外すことが困難であって、セキュリティを要求される袋や箱には、好都合であるからに他ならない。
【０００３】
しかし、封緘具として使用する場合、まだ大きな問題が残されている。
例えば、特開２０００−２２６０６２号公報に開示されている結束バンドを封緘具として使用する場合を例にして説明すれば、図１３〜１６に示すように、この結束バンドは、挿入孔２０１を有する頭部１０１と、この頭部１０１から延設したバンド部３０１と、このバンド部３０１の反対方向に頭部１０１から延設した表示部６０１とを備え、頭部１０１の挿入孔内２０１には、弾性力を付与されて延設した爪４２１が配置され、また、バンド部３０１には、爪４２１と係合する鋸歯状のラチェット歯５０１が多数形成され、全体が合成樹脂（ポリアミド樹脂）で一体的に形成されている。なお、図１５に示すように、爪４２１にリブ４２２を設けて爪４２１を補強し変形を防止するとしている。
この結束バンドは、図１４に示すようにバンド部３０１を頭部１０１の挿通孔２０１通して、仮想線の如く、ループ状に締め込んだ後、爪４２１とラチェット５０１を係止して、バンド部３０１が挿通孔２０１から抜けないようにしている。
【発明が解決しようとする課題】
しかし、爪４２１及びラチェット歯５０１は、寸法面からみて、通常数ミリメートルと小さく、しかも、ポリアミド樹脂等の合成樹脂で形成されるため、これら爪４２１及びラチェット歯５０１に大きな力が作用すると、それらは、即座に変形することは明らかである。
【０００４】
具体的には、挿入孔２０１内において、爪４２１とラチェット歯５０１が歯合した状態で、爪４２１又はラチェット歯５０１が破壊するような外力が作用したとき、図１５示すように、爪４２１及びラチェット歯５０１の歯合面が先端部に行くにしたがって変形量が大きくなり、くさび形になるため、このくさび作用により歯合面に矢印Ａ及びａ方向の力が働くことになる。
したがって、この結束バンドのように、爪４２１にリブ４２２を設けて補強したとしても、結束バンドが合成樹脂、特にポリアミド樹脂の場合は、図１３，１５に示す、側壁部分１０２が伸び支持面１０３が矢印方向に変形するため、多くの場合、強度的に一番弱い部分、すなわち爪４２１又はラチェット歯５０１の先端が変形して歯合状態が解除され、バンド部３０１が挿入孔２０１から抜ける現象が起こることは否めない。
その結果、爪４２１及びラチェット歯５０１は先端部分だけが破壊され、補強されている爪４２１の他の部分は変形が小さいため、強制的に結束を解除した結束バンドを再利用して、恰も何事も無かったかのように再結束することが可能となり、改ざんを防止することは難しい。これは、破壊された爪４２１及びラチェット歯５０１が、再利用時に、挿入孔２０１内に位置するため、外観的には何ら変化がないように見え、目視確認ができないことが、改ざんの大きな要因として考えられる。このことは、すでに開示されている多くの合成樹脂製の封緘具についても言えることである。
【０００５】
一方、合成樹脂製の封緘具の場合、シリアルナンバーを押印したり、結束担当者名を記入又は押印するケースが多いが、結束現場で記入作業や押印作業する場合、インクがしみこまないため、他の物と擦れ合ったりすると、極めて容易に消されることになり、安全上好ましくない。
【０００６】
そこで本発明は、上述した従来の問題点を解決するためになされたものであって、結合部分が破壊された場合、目視確認ができるようにする封緘具を提供することを目的とする。
また、他の目的として、結束現場で記名又は押印しても、容易には消えない封緘具を提供する。
【０００７】
【課題を解決するための手段】上記目的を達成するために本発明では、次のような手段を用いて課題を解決した。
すなわち、挿通孔を有する頭部と、この頭部から延設したバンド部と、このバンド部を前記挿通孔に通した後、このバンド部を止めるロック部とを有する封緘具であって、前記バンド部に止め穴を設けるとともに、前記ロック部を頭部近傍またはバンド部に配備し、このロック部を、前記止め穴に入る大きさの雄部と、この雄部に、容易に離脱しないように嵌着する雌部とで形成した封緘具を提供する。
この場合、被結束体にバンド部を巻回し、このバンド部を挿通孔に通して被結束体を締め付けた後、バンド部の止め穴をロック部の雄部にはめ込む。次に、ロック部の雌部を雄部にかぶせ、雌部と雄部を離脱できないようにする。
これにより、バンド部に加わる締め付け反力を、雄部と止め穴とで受けることになり、ロック部の雌部には締め付け反力が影響しない。従って、ロック部の雌部を、指で摘んで再使用不能に破壊する程度に虚弱にすることが可能となる。
しかも、ロック部は一見できるため、ロック部を目視確認することができ、万一ロック部を破壊された場合でも素早い発見が可能となり、改ざん防止に威力を発揮する。
【０００８】
なお、ロック部を、頭部の挿通孔とバンド部の止め穴の間に配備するとともに、バンド部に止め穴を複数個形成することにより、被結束体の結束周長がバンド部の長さより遙かに小さいときに、バンド部で被結束体を複数回巻回して、巻回の度に、止め穴をロック部の雄部にはめこむことができる。これにより締め付け反力、換言すれば、封緘具のループ引張強度は著しく向上し、ロック部の雌部の破壊強度との差を、より大きくできる。これは、被結束体を強固に結束でき、封緘を解く際は、小さな力で開封作業を行えることを意味する。
【０００９】
また、ロック部を、バンド部と反対側の頭部近傍に配備することにより、被結束体を締め付ける際、強く締め付けたままバンド部の止め穴を、ロック部の雄部にはめ込める利点を付加できる。
【００１０】
さらに、頭部のバンド部と反対方向の一部に、表示部を延設することにより、封緘現場での記名や押印作業がしやすいこと、及び、表示部が見やすくなること等の利点を付加できる。
【００１１】
そしてさらに、バンド部の一部に表示部を設けたことにより、表示部が外力の影響を受けにくいため、表示内容の損傷を防止できる利点が付加される。
【００１２】
さらに、頭部とバンド部を、合成樹脂を主体とし微細なボイドを有する部材で形成する一方、ロック部を合成樹脂で形成したことにより、記名や押印等に使用するインクが、微細なボイドに沈着するため、通常の紙程度の即乾性が期待できる。
したがって、頭部であろうとバンド部であろうと、空いている部分であれば、どこへでも記名や押印が可能となり、表示内容が消去されることがない等の利点を付加できる。
【００１３】
また、頭部、バンド部及びロック部を合成樹脂で一体的に形成し、少なくとも表示部表面に微細なボイドを設けてもよい。この場合は、充分な強度を確保しながら、全体が合成樹脂であっても記名や押印等に使用するインクが微細なボイドに沈着するため、他への転写防止が期待できる。
【００１４】
さらに、ロック部の雄部を、根本側を小形部に先端側を大形部に形成して、小形部と大形部の境に顎を設けるとともに、雌部を、弾性力を付与したコレット状の複数の爪片に分割して、この爪片の先端を前記雄部の顎に離脱不能に係止させるようにし、さらに、各爪片の根本付近を、前記爪片と前記顎との係止力よりも小さな外力で破壊する断面積に形成したことにより、封緘を解除するためにロック部の雌部を引っ張り雄部との係合を解除しようとした場合、雌部の爪片がその根本から破壊されてロック部から分離してしまうため再度ロックしようとしても全くロックできなくなる。これは、封緘状況を目視確認できることと相俟って、改ざん防止に威力を発揮するとともに、何ら道具を使用しなくとも簡単に封緘を解除できる利点もあり、封緘具のループ引張強度とロック部の雌部との破壊強度の差を著しく顕著にできる等の利点を有する。
【００１５】
なお、本発明で言う、合製樹脂を主体とし微細なボイドを有する部材とは、例を示せば、次のものまたは次のものに類する部材を言う。
１．　微細なボイドを有するポリプロピレン、ポリエチレン、ポリアミド等の単層または多層の合成樹脂シート状部材。
２．　微細なボイドを有するポリプロピレン、ポリエチレン、ポリアミド等の単層または多層の合成樹脂シート状物に合成紙または布をラミネートした部材。
３．　シート状もしくは薄く射出成形したポリプロピレン、ポリエチレン、ポリアミド等の合成樹脂に、合成紙または布をラミネートした部材。
【００１６】
また、本発明で言う、合成樹脂で一体的に形成し、少なくとも表示部表面に微細なボイドを設けた、との意味は、次の意味またはそれに類する意味を持つ。
１．　ポリプロピレン、ポリエチレンまたはポリアミドのような合成樹脂で射出成形を行い、この成形と同時または別工程で、表面に梨地、皮状、艶消し等のシボを形成すること。
２．　ポリプロピレン、ポリエチレンまたはポリアミドのような合成樹脂でプレス成形を行い、この成形と同時または別工程で、表面に梨地、皮状、艶消し等のシボを形成すること。
３．　ポリプロピレン、ポリエチレンまたはポリアミドのような合成樹脂で押し出し成形を行い、この成形と同時または別工程で、表面に梨地、皮状、艶消し等のシボを形成すること。
４．　微細なボイドを有するウレタン等の発泡性の素材を使用して、射出、押し出しあるいはプレス成形をすること。
【００１７】
【発明の実施の形態】次に、本発明の実施の形態について、図面を参照しながら詳述する。
まず、図面について説明すると、図１、は本発明の実施の形態を示す正面図、図２は、その側面図、図３は、ロック部雌部の拡大した正面図、図４は、ロック部の封緘状態を示す拡大断面図、図５、６は、封緘具の使用状態を示す斜視説明図、図７は、本発明に使用するシート状物層の一例を示す断面図、図８は、図１の封緘具を多数個取りする場合の一例を示す正面図、図９は、本発明の、他の実施の形態を示す正面図、図１０は、その側面図、図１１、は本発明の、さらに他の実施の形態を示す正面図、図１２は、その側面図である。
【００１８】
第一の実施の形態について説明すれば、図１〜４において、挿通孔２を有する頭部１からバンド体３を延設している。このバンド体３は、被結束物、例えば現金輸送や郵便輸送用の袋の口を閉じるために袋を巻回し、挿通孔２に通して袋の口を締め込むためのものである。
したがって、挿通孔２の寸法は、当然ながらバンド体３の幅及び厚さ寸法より大きく形成する。なお、本発明では、後述する理由により、バンド体３の厚さ方向に対応する挿通孔２の寸法は、バンド体３厚さの数倍の寸法にするのが望ましい。
さて、バンド部３の頭部１の近傍には、ロック部４を配備している。このロック部４は、バンド部３に固定した雄部４１と、この雄部４１に嵌まる雌部４２とこれら雄部４１と雌部４２を結ぶ連結部４３とで形成している。
雄部４１は、詳しくは図４に示すように、その根元側を小形部４１ａ、先端側を、小形部４１ａよりも大きく小形部４１ａに向かって拡大するテーパー状の大形部４１ｂとし、これらの境に顎４１ｃを形成している。
一方、雌部４２は、詳しくは図３，４に示すように、断面視鍋型をした、鍔部４２ｂ、円筒部４２ｃ、底部４２ｄからなり、この底部４２ｄには、すり鉢状の受け入れ部４２ｅを形成したコレット状の複数の爪片４２ａを形成している。これら爪片４２ａのすり鉢状頂部側は、雄部４１の大形部４１ｂの最大径よりも小さい寸法、好ましくは、小形部４１ａの寸法とほぼ同じ程度の寸法の透孔４２ｆを形成している。
さらに、爪片４２ａには、受け入れ部４２ｅ内を、雄部４１の大形部４１ｂが通り抜ける際、爪片４２ａが一旦大形部４１ｂの最大径まで広がった後、ほぼ小形部４１ａの寸法まで瞬時に戻る弾性力を付与している。また、爪片４２ａの根元付近、すなわち底部４２ｄには、各爪片４２ａの根本付近を、前記爪片４２ａと顎４１ｃとの係止力よりも小さな外力で破壊する断面積になるように、肉盗み溝４２ｇを形成している。
このように構造を持つロック部４は、ポリアミド、ポリプロピレン、ポリエチレンまたはこれらに類する合成樹脂で一体的に形成する。
一方、バンド部３のロック部４よりも頭部１と反対側の位置には、多数の止め穴５を設けている。この止め穴５は、ロック部４の雄部４１に入る形状寸法に形成している。
また、頭部１のバンド部３の反対側には、表示部６を延設している。この表示部６は、封緘に関する情報を表示するためのものである。
このように構成した封緘具の使用方法について説明すれば、図５及び６において、例えば、現金輸送や郵便輸送用の袋Ｂの口を閉じるために、バンド部３を袋Ｂに巻き付け、バンド部３を頭部１の挿通孔２に通し、挿通孔２を通り抜けたバンド部３を引くことにより、袋Ｂを絞り込む。
次に、袋Ｂを絞り込んだ状態で、挿通孔２を通り抜けたバンド部３の止め穴５のうち、ロック部４の雄部４１に一番近い止め穴をこの雄部４１に嵌合する。この状態から、図６に示すように、ロック部４の雌部４２を雄部４１に被せる。この時、図４において、雌部４２のすり鉢状の受け入れ部４２ｅとテーパー状の雄部４１の大形部４１ｂとの形状作用により、互いにそれらの中心合わせが自動的に行われ、テーパー状の大形部４１ｂによって爪片４２ａは開かれ、換言すれば、透孔４２ｆは広がるので、大形部４１ｂは透孔４２ｆを通り抜ける。そして、爪片４２ａはその弾性力により雄部４１の小形部４１ａ外周に接触するか、またはその近傍まで復帰する。したがって、爪片４２ａの先端は、顎４１ｂの存在によって雄部４１からの離脱を阻止され、袋Ｂは封緘される。
このようにして封緘された袋Ｂは、その内容物にもよるが天地を逆にしたり、あるいは袋Ｂを放り投げたりした場合、内容物のエネルギーがループ状になっているバンド部３の内側から外側に向かって作用する。この作用は、バンド体３の止め穴５を広げる力と、雄部４１の小形部４１ａをせん断する力、換言すれば、封緘具のループ引張強度に変換されるので、バンド体３の強度と小形部４１ａを、ループ引張強度に充分耐え得る寸法形状にすればよい。
さて、このようにして離脱不能になった封緘具のロック部４を、無理に離脱させようとした場合、爪片４２ａ先端が顎４１ｃに圧接し、爪片４２ａは、透孔４２ｆが小さくなる方向に変形するので、爪片４２ａと顎４１ｃとの係合状態は、解除する方向に動くどころか、逆に益々抜けにくくなる方向に作用する。
したがって、離脱解除する力は、爪片４２ａの根元に加わることとなり、結局、肉盗み溝４２ｇの影響で断面積が小さくなった爪片４２ａの根元から破断して、雄部と雌部は分離され、ロック部４の係合が解除される。
その結果、再度ロック部を係合させようとしても爪片は破断して存在しないため、再封緘は不能となって偽装工作はできないことに加え、この状態は目視確認できる環境にあるため、心理作用も大きく影響して改ざん防止に大きな効果を発揮する。
なお、この発明で、さらに上記効果に匹敵するほど重要なことは、上述したように、バンド体３の強度と小形部４１ａを、ループ引張強度に充分耐え得る寸法形状にする際に、輸送後の袋Ｂの封緘を解除しやすくすることを、何ら考慮することなく強固にしても、袋Ｂの封緘解除を簡単に行うことができる点にある。
すなわち、ロック部４の雌部４２には、上記ループ引張強度は全く作用しないため、この雌部４２の爪片４２ａの根元強度を極端に弱くすることができ、手で雌部４２の鍔部４２ｂを摘んで雄部４１から雌部４２を引き離せば、簡単に封緘を解除できる。
換言すれば、封緘具のループ引張強度を極めて大きく、また、封緘解除力を極端に小さくすることが可能となり、その結果、信頼性があり、しかも作業性の良い封緘具を提供できる利点も有する。
なお、バンド体３の厚さ方向に対応する挿通孔２の寸法は、バンド体３厚さの数倍の寸法にするのが望ましい、と前述したが、その理由は、被結束体である袋Ｂの結束周長がバンド部３の長さより遙かに小さいときには、バンド部３で袋Ｂを複数回巻回して、巻回の度に、止め穴５をロック部４の雄部４１にはめこむことができる。これにより締め付け反力、換言すれば、封緘具のループ引張強度は著しく向上し、ロック部４の雌部４２の破壊強度との差を、より大きくできる。これは、袋Ｂを強固に結束でき、封緘を解く際は、小さな力で開封作業を行えることになることから、挿通孔２の寸法をバンド体３の厚さの数倍にすることを推奨する。
なお、図５，６から判るように、表示部６は、袋Ｂの外側に飛び出すように位置するので、封緘現場での記名や押印作業がしやすい利点あり、さらには、表示部に表示されている情報が見やすい利点も有する。
一方、表示部６，頭部１及びバンド部３を、図７のように、微細なボイドを有する合成樹脂、例えば微細なボイドを有するポリプロピレン層ＭＰにし、その上下をポリプロピレンＰＰの被膜で覆うようにした多層構造のシートを使用して形成し、ロック部４を合成樹脂、例えばポリプロピレンやポリエステル、若しくはポリエチレンあるいはポリアミド等で射出成形した後に、該シートに取り付けるようにすれば、適切な強度を確保することに加え、記名や押印等に使用するインクが、微細なボイドに沈着するため、通常の紙程度の即乾性が期待できる。
したがって、挿通頭部１であろうとバンド部３であろうと、空いている部分であれば、どこへでも記名や押印が可能となり、表示内容が消去されることがない等の利点を付加できる。
なお、図７において、ポリプロピレンＰＰの被膜のうち、少なくとも一方に合成紙または布をラミネートしたシートにし、この合成紙面や布面を表示部として使用すれば、記名や押印等に使用するインクの沈着性能が大きく向上し、表示内容がさらに消去されにくくなる。
なお、通常の上述したような合成樹脂で押し出し成形したり、あるいはそれをさらに延伸したシート状物に、合成紙又は布をラミネートしても同様の効果を得ることができる。
図８は、上述したシート状物Ｓを封緘具の基材とし、封緘具を多数個形成する場合の一例をしめすものである。
この場合は、例えば、表示部６、頭部１及びバンド部３の外形を、手でちぎれる程度のつなぎ部分を残してプレスで抜くとともに、挿入孔２、止め穴５、ロック部４の雄部４１が入る穴及び、ロック部４が位置する部分Ｓ１をプレスで抜くようにする。そして、前述したように、合成樹脂で成形したロック部４の雄部４１を図のように穴に取り付けるようにする。
その結果、多数個の封緘具を一度に形成可能となるとともに、このような形態の封緘具を使用する場合は、表示部６に情報、例えば連続番号を印刷または、押印する際、効率的に作業することができる。
なお、上述した多数個の封緘具を形成するに当たって、シート状物Ｓは、一定の大きさに切断したシートやロール状の連続シートにすれば、さらに都合がよい。
また、上述した形態ではロック部４をプレス成形後に取り付けるようにしたが、ロック部４を射出成形する場合は、ロック部４を成形する型に、プレス成形後のシート状物Ｓをあてがってロック部４を成形する、いわゆるインサート成形でロック部４をシート状物Ｓに取り付けることもできる。この場合は、生産効率を大幅に向上でき、安価に提供できる利点を有する。
図９は、他の実施の形態を示す図である。
この場合は、表示部６１、頭部１１、バンド部３１及びロック部４を合成樹脂、例えばポリアミド、ポリプロピレン、ポリエステル、ポリエチレン等で射出成形等により、一体的に形成している。この形態では、表示部６１または全体に梨地、皮状または艶消し等のシボを形成することにより、インク等の沈着性能を確保するようにしている。
なお、このように合成樹脂で一体的に封緘具を形成する場合において、シボ加工は、射出成形と同時であれば効率的であるが、別工程で行っても良い。
また、合成樹脂で一体的に封緘具を形成する場合、ロック部４を別体で形成する場合を問わず、プレス成形で行っても良く、また、シボ加工をプレスで行っても良い。
さらに、封緘具のシート状物Ｓの基材は、押し出し成形時あるいは別工程でシボ加工を行うようにしても良い。
そしてさらに、封緘具のシート状物Ｓの基材は、ウレタン等の発泡性材料で射出成形、押し出し成形あるいはプレス成形をして形成しても良い。
図１２は、さらに他の実施の形態を示すものである。
この形態の場合は、ロック部４の位置が上述した形態とは異なる。具体的には、ロック部４の位置をバンド部３２と反対側の頭部１２近傍に配備している。また、表示部６２は、図示のように、カギ型に形成している。
バンド部３２を挿通孔２２から通して締め込み、そのまま止め穴５２をロック部４の雄部４１に嵌合できるので、強く締め込んだまま、緩むことなくロックできる利点を有する。
また、表示部６２をカギ型にすることにより、ロック後のバンド部３２の余剰部分で表示部６２が隠れることがない。なお、この形態の場合、特に表示部６２を設けずに、バンド部３２の先端側を表示部として利用することもできる。バンド部の先端側を表示部として利用することは、この形態に限らず前述した全ての形態にも適用できる。
【発明の効果】
以上のように本発明によれば、被結束体の封緘後に万一ロック部の結合部分が破壊された場合でも、破壊されたロック部の結合部分を目視確認することができるので、素早い発見が可能になるとともに、ロック部が目立つため、心理的に破壊しにくくなる。
また、被結束体の締め付け力が封緘時のロックを分離する方向に作用しないため、強い締め付け力を得ることができるとともに、指で摘む程度で封緘時のロック部を破壊して再利用できない封緘具にすることも可能となる。
さらに、微細なボイドを形成すれば、封緘に関する情報を記録したり、押印したりしてもインクが沈着するため、容易に消えない封緘具を提供することができる等、その作用効果は大きい。
【図面の簡単な説明】
【図１】本発明の実施の形態を示す正面図
【図２】図１の側面図
【図３】ロック部雌部の拡大した正面図
【図４】ロック部の封緘状態を示す拡大断面図
【図５】封緘具の使用状態を示す斜視説明図
【図６】封緘具の使用状態を示す斜視説明図
【図７】本発明に使用するシート状物層の一例を示す断面図
【図８】図１の封緘具を多数個取りする場合の一例を示す断面図
【図９】本発明の、他の実施の形態を示す正面図
【図１０】図９の側面図
【図１１】本発明の、他の実施の形態を示す正面図
【図１２】図１１の側面図
【図１３】従来の封緘具として使用する結束バンドの一例を示す正面図
【図１４】図１３の側面図
【図１５】封緘状態を示す図１３の頭部部分の拡大断面図
【図１６】爪及びラチェット部分先端部の破壊態様を示す図１５をさらに拡大した断面図
【符号の説明】
１，１１，１２　頭部
２，２２　　　　挿通孔
３，３１，３２　バンド体
４　　　　　　　ロック部
４１　　　　　　雄部
４１ａ　　　　　小形部
４１ｂ　　　　　大形部
４１ｃ　　　　　顎
４２　　　　　　雌部
４２ａ　　　　　爪片
５、５２　　　　止め穴
６，６１，６２　表示部
【図１】
2004099164.tif 000003
【図２】
2004099164.tif 000004
【図３】
2004099164.tif 000005
【図４】
2004099164.tif 000006
【図５】
2004099164.tif 000007
【図６】
2004099164.tif 000008
【図７】
2004099164.tif 000009
【図８】
2004099164.tif 000010
【図９】
2004099164.tif 000011
【図１０】
2004099164.tif 000012
【図１１】
2004099164.tif 000013
【図１２】
2004099164.tif 000014
【図１３】
2004099164.tif 000015
【図１４】
2004099164.tif 000016
【図１５】
2004099164.tif 000017
【図１６】
2004099164.tif 000018